(57)【要約】【課題】洗濯物を干すための種々の用具を一括して収納可能であると共に、洗濯物干し作業を効率良く、楽な動作で行うために利用可能な収納ボックスを提供する。【解決手段】収納ボックス２は、前方に開口した開口部８１、及び略水平な天板を有する本体８０と、前方へ引出し自在に本体８０に組み付けられた引出収納体９０と、前後に傾動自在に本体８０に組み付けられた傾動収納体３０と、本体８０を移動可能に支持するキャスター７１と、本体８０に立設された支柱部５１、及び支柱部５１から側方に連接されて天板の上方に横架された棒状の横架部５２を有する吊掛バー５０と、本体８０の側方に設けられた側方収納体４０と、本体８０から外方に略水平に延設された棒状の物干アーム６１とを具備し、本体８０は段違いに構成されて、天板は、第一天板８５ａ及び第一天板８５ａより高さの低い第二天板８５ｂを有する。【選択図】図５
2007061591.tif 000002
【特許請求の範囲】
【請求項１】
前方に開口した開口部、及び上方を覆う略水平な天板を有する本体と、
前記開口部から前方へ引出し自在に前記本体に組み付けられた引出収納体と、
前記開口部の下辺に平行な軸を中心として傾動自在に前記本体に組み付けられた傾動収納体と、
前記本体を移動可能に支持するキャスターと、
前記本体に立設された支柱部、及び該支柱部から側方に連設されて前記天板の上方に横架された棒状の横架部を有する吊掛バーと、
前記本体の側方に設けられた側方収納体と、
前記本体から外方に略水平に延設された棒状の物干アームと
を具備することを特徴とする収納ボックス。
【請求項２】
前記傾動収納体は、
底面板と、
該底面板に対して略垂直な前面板及び背面板と、
前記前面板及び前記背面板の間で幅方向に、前記底面板に対して略垂直に設けられ、前記底面板からの高さが前記背面板より大である仕切板と
を具備することを特徴とする請求項１に記載の収納ボックス。
【請求項３】
前記本体は段違いに構成され、
前記天板は、第一天板、及び該第一天板より高さの低い第二天板を有する
ことを特徴とする請求項１または請求項２に記載の収納ボックス。
【発明の詳細な説明】
【技術分野】
【０００１】
本発明は、収納ボックスに関するものであり、特に、洗濯物を干すために必要な用具を収納可能な収納ボックスに関するものである。
【背景技術】
【０００２】
洗濯物を干す作業においては、ピンチ（洗濯ばさみ）、衣服ハンガー、円形や四角形の枠体に複数のピンチを吊り下げたピンチハンガー等、いろいろな種類の用具が必要とされるが、従来これらの用具を収納するために、特に配慮がなされた収納ボックスはなかった。そのため、多くの場合、これらの用具は汎用の収納容器を使用して保管されている。その際、上記のような物干し用具は大きさも形状も種々であるため、それぞれ別々の容器に分散して収納されていることも多い。或いは、ピンチを入れたかごや衣服ハンガーが、日常的に洗濯機の周辺や物干し竿に吊り下げられている場合もある。
【０００３】
上記の従来技術は、公然に実施されているものであり、出願人は、この従来技術が記載された文献を、本願出願時においては知見していない。
【発明の開示】
【発明が解決しようとする課題】
【０００４】
しかしながら、上記のように、種々の用具が分散して収納されている場合は、洗濯物を干す度ごとに、それぞれの用具をそれぞれの収納場所から物干し場まで運ぶ必要があり、大変に不便であった。また、衣服ハンガー等が日常的に物干し竿等に吊り下げられている場合は、雑然とした印象を与えて外観も悪いことに加え、汚れや埃りが付着するという問題もあった。
【０００５】
更に従来は、洗濯物を干す作業そのものを、効率良く楽な動作で行えるように配慮された用具等もなかった。そのため、洗濯済みの衣類等を入れたかごを足元に置き、取り出しては干すという作業を繰り返すこととなり、毎日のように行う作業であるだけに、労力負担の大きいものであった。特に、腰などを痛めている人や高齢者の中には、物干し作業に苦痛を感じる人もあった。
【０００６】
そこで、本発明は、上記の実情に鑑み、洗濯物を干すために必要な種々の用具を一括して収納可能であると共に、洗濯物を干す作業を効率良く、楽な動作で行うために利用可能な収納ボックスの提供を課題とするものである。
【課題を解決するための手段】
【０００７】
上記の課題を解決するため、本発明にかかる収納ボックスは、「前方に開口した開口部、及び上方を覆う略水平な天板を有する本体と、前記開口部から前方へ引出し自在に前記本体に組み付けられた引出収納体と、前記開口部の下辺に平行な軸を中心として傾動自在に前記本体に組み付けられた傾動収納体と、前記本体を移動可能に支持するキャスターと、前記本体に立設された支柱部、及び該支柱部から側方に連設されて前記天板の上方に横架された棒状の横架部を有する吊掛バーと、前記本体の側方に設けられた側方収納体と、前記本体から外方に略水平に延設された棒状の物干アームとを」具備して構成されている。
【０００８】
「本体」は、例えば、木材やプラスチック等により形成することができ、天板に加え、左右の側板、背板、底板を備える構成とすることができる。或いは、本体の強度等を考慮の上、背板を有さず天板、側板、及び底板により角筒状の構成とすることも、側板等を有さないフレーム状の構成とすることもできる。また、洗濯済みの濡れた洗濯物を扱うことを考慮して、天板等の本体の各部に、撥水効果を奏する加工を施せば、より好適である。
【０００９】
「引出収納体」は、本体において前方に開口した開口部から前後方向に出し入れし、前方に引出した際に上方に開口するものであり、引出収納体の外壁と本体内壁との間に、スライドレールとガイドレール、線条の部材と溝部のような組合わせの構成を設けることにより、前後方向に摺動自在なものとすることができる。また、「傾動収納体」は、本体の開口部から前方に傾動した際に上方に開口するものであり、本体の開口部の下辺と蝶番で連結することにより、或いは、開口部の下辺の方向に設けた回動軸に軸支させることにより、開口部に対して前後に傾動自在な構成とすることができる。なお、例えば、回動軸を前後方向の長孔に沿って移動させる構成にすることにより、傾動収納体を前方にスライドさせながら前傾させることもできる。また、本体に対する傾動収納体の位置は、回動の中心となる軸方向が開口部の下辺に平行であれば特に限定されず、引出収納体より下方に設けることも、上方に設けることも、両者を並設することもできる。
【００１０】
「キャスター」は、鉛直軸周りに旋回自在な自在車輪や、直進用の固定車輪を使用することができ、回転をロックして移動を規制するロック機構を備えるものであってもよい。また、本体を支持可能であれば、個数や取付け位置は特に限定されず、例えば、本体の底部に四個設けることができる。
【００１１】
「吊掛バー」は、例えば、ステンレス等の金属製の管状または中実の棒状部材を、コ字状に曲折することにより、支柱部と横架部とが一体的に形成された構成とすることができる。或いは、金属や木材等により形成された別体の支柱部及び横架部を、適宜のジョイント部材で接続する構成とすることもできる。また、支柱部と横架部とをＬ字状に形成し、横架部が支柱部を軸として天板の上方で旋回自在な構成とすることもできる。なお、吊掛バーは、一本を設けることも複数本を設けることもできる。
【００１２】
「側方収納体」は、本体の側方に設けられるものであり、本体に対して固定されるものであっても、本体に対して着脱自在なものであってもよい。例えば、フック等の鉤状部材と、孔部または環状部材との組合せよる係止機構を、側方収納体及び本体に具備させることにより、着脱自在な構成とすることができる。更に、本体から取外した側方収納体は、収納ボックスに収納させることとしてもよく、そのためのスペースを、引出収納体や傾動収納体、あるいは他の収納体を更に具備する場合にはその収納体に、設定しておくこともできる。なお、側方収納体の形状は特に限定されず、例えば、上方に開口した函体、蓋部を有する函体とすることができ、複数の仕切りを備えるものとすれば小物等を仕分けて収納することができ、好適である。
【００１３】
「物干アーム」は、複数または一本の棒状のアームにより構成させることができ、本体に対して固定されているものであっても、着脱自在なものであってもよい。また、物干アームを旋回自在とし、例えば、使用時には複数の物干アームを扇状に展開し、不使用時にはそれぞれの向きを揃えておくことができる構成とすることもできる。
【００１４】
従って、本発明によれば、洗濯物干し作業に要する種々の用具を、一括して収納することができる。例えば、引出収納体に衣服ハンガーを、傾動収納体にピンチハンガーを、側方収納体にピンチをというように、各種の用具を種類や大きさにより仕分けをして、収納することができる。これにより、屋根やひさしのあるベランダや屋内のドライルーム等の物干し用スペースに、本発明の収納ボックスを備えておくことにより、洗濯物干し作業に必要な用具を、洗濯物干し作業を行う場所の近傍に、一箇所にまとめて保管することができる。また、キャスターを具備することから、本発明の収納ボックスの設置場所が洗濯物干し作業を行う場所から離れていても、洗濯物干しに必要な用具を、収納ボックスごと一括して、容易に運搬することができる。これにより、洗濯物干し作業の際に、種々の用具をその場ですぐ取り出して使用することができる。加えて、衣服ハンガーやピンチハンガー等、日常的に物干し竿等に吊り下げられていることもある用具を収納できるため、物干しスペースが雑然とした印象を与えない外観の良いものとなる。
【００１５】
また、収納ボックスの天板の上に、洗濯物を入れたかご等を置いて作業をすることができるため、従来のように腰をかがめて、足元に置いたかごから洗濯物を取り出す必要がなく、楽な姿勢で洗濯物を干すことができる。更に、吊掛バーや物干アームを具備するため、収納ボックスを利用して、仮干し作業を行うことができる。例えば、室内に本発明の収納ボックスを置き、洗濯物を掛け終えたハンガーを、順次吊掛バーに掛けながら作業を続け、或いはピンチハンガーを吊掛バーに掛けておいて靴下等を干す作業を行い、その後にベランダや屋外の物干し竿まで運ぶことができる。これにより、寒い季節に屋外で長時間物干し作業を行ったり、日焼けを気にしながら物干し作業を行ったりする必要がなく、作業者にとって都合のよい場所で、効率良く洗濯物干し作業を進めることができる。
【００１６】
なお、本発明の収納ボックスは、洗濯物干し用具の収納及び洗濯物干し作業への利用に加え、洗濯物を干しておく用具として使用することもできる。例えば、吊掛バーを室内物干し用に使用したり、物干アームに洗濯用ネットや雑巾等を掛けておくことができる。
【００１７】
また、本発明にかかる収納ボックスは、「前記傾動収納体は、底面板と、該底面板に対して略垂直な前面板及び背面板と、前記前面板及び前記背面板の間で幅方向に、前記底面板に対して略垂直に設けられ、前記底面板からの高さが前記背面板より大である仕切板とを具備する」ものとすることができる。
【００１８】
傾動収納体は、例えば、底面板、前面板及び背面板により断面略コ字状となる構成とすることができる。或いは、側板や、前面板及び背面板を架渡して側方を補強する部材等を、更に備える構成とすることもできる。また、仕切板は、前面板と背面板との間に幅方向に設けられて、収納空間を前後に仕切るものであり、固定的に取付けられるものであっても、取付け位置を移動可能なものであってもよい。
【００１９】
従って、本発明によれば、底面板に略垂直な仕切板によって傾動収納体の収納スペースが仕切られるため、洗濯物干し用具の収納及び出し入れにおいて、より使い勝手のよいものとなる。例えば、仕切板にピンチハンガーを立てかけるように収納することにより、複数のピンチハンガー間でピンチが絡まる等の不具合の生じ難いものとなる。加えて、仕切板の高さが背面板より高く設定されることにより、重心が前方に位置することとなるため、傾動収納体を前方に傾動させる操作のし易いものとなる。
【００２０】
更に、本発明にかかる収納ボックスは、「前記本体は段違いに構成され、前記天板は、第一天板、及び該第一天板より高さの低い第二天板を有する」ものとすることができる。
【００２１】
かかる本体の構成は、例えば、引出収納体と傾動収納体とで幅を異なる設定とし、幅広の方を下段として、本体をこれに対応させた構成とすることにより実現することができる。或いは、引出収納体と傾動収納体とを並設し、それぞれの高さを異ならせることによっても実現することができる。また、引出収納体及び傾動収納体の幅の異同や、段組みの位置関係によらず、他の収納体を更に具備するものとし、その大きさや位置等の設定により、本体を段違いに構成させることができる。
【００２２】
従って、本発明によれば、吊掛バーから第二天板までの距離は、第一天板までの距離より大きなものとなる。これにより、例えば、長尺の洗濯物を掛けた衣服ハンガーやピンチハンガーを、第二天板の上方で吊掛バーに掛けることにより、洗濯物が天板上に垂れかかることを防止することができる。また、天板上に洗濯物かごを置いて作業する場合、第二天板の上にかごを置き、吊掛バーの下方の空間を仮干し作業のために広く確保することが可能となる。
【発明の効果】
【００２３】
以上のように、本発明の効果として、洗濯物を干すために必要な種々の用具を一括して収納可能であると共に、洗濯物を干す作業を効率良く、楽な動作で行うために利用可能な収納ボックスを提供することができる。
【発明を実施するための最良の形態】
【００２４】
以下、本発明を実施するために好適な第一実施形態の収納ボックスについて、図１乃至図４に基づいて説明する。ここで、図１は第一実施形態の収納ボックスの構成を示す斜視図であり、図２は図１におけるＡ−Ａ断面を示す平面図であり、図３は図１の収納ボックスの側面図であり、図４は図１の収納ボックスの使用状態を示す斜視図である。
【００２５】
本実施形態の収納ボックス１は、前方に開口した開口部１１、及び上方を覆う略水平な天板１５を有する本体１０と、開口部１１から前方へ引出し自在に本体１０に組み付けられた引出収納体２０と、前後に傾動自在に本体１０に組み付けられた傾動収納体３０と、本体１０を移動可能に支持するキャスター７１と、本体１０に立設された支柱部５１、及び支柱部５１から側方に連接されて天板１５の上方に横架された棒状の横架部５２を有する吊掛バー５０と、本体１０の側方に設けられた側方収納体４０と、本体１０から外方に略水平に延設された棒状の物干アーム６１とを、主に具備して構成されている。
【００２６】
更に、詳細に説明すると、主に図１に示すように、本体１０は木材により構成され、天板１５、左右の側板１６、底板１７、及び背板１８を有し、前方に開口する函体に形成されている。ここで、天板１５には、撥水性の塗装が施されている。また、本体１０の底部には、前方及び後方にそれぞれ二個のキャスター７１が取付けられ、前方の二個は回転をロックするロック機構（図示しない）を有している。
【００２７】
また、引出収納体２０は、上方に開口した函状に形成され、左右の外側面に取付けられたスライドレール（図示しない）が本体１０の内側面に取付けられたガイドレール（図示しない）に案内され、前後方向に摺動自在な構成とされている。加えて、本実施形態の引出収納体２０は、図２に示すように、内部の空間を左右の二つの空間、すなわち、衣服ハンガーを収納可能な第一収納空間２１、及び残余の第二収納空間２２に区画する左右区画板２５を備えており、第一収納空間２１は、幅方向に設けられて前後方向に空間を仕切る二つの区画板２６によって、更に三つの空間に区画されている。なお、第一収納空間２１の幅は、一般的な衣服ハンガーの幅（４２ｃｍ程度）より大に設定されている。また、引出収納体２０の前面には、引出手収納体２０を前後に出し入れする際の引手となる引手部７２が設けられている。
【００２８】
傾動収納体３０は、図３に示すように、底面板３１と、その前後で底面板３１に対して略垂直に設けられた前面板３２及び背面板３３と、これらに平行に、前面板３２と背面板３３との間のほぼ中央に設けられた仕切板３５とを有して構成されている。ここで、仕切板３５の高さは、背面板３３の高さよりも大きく設定されている。そして、前面板３２の下辺が本体１０の開口部１１の下辺と蝶番（図示しない）によって接続され、この蝶番の軸周りに傾動収納体３０が回動自在な構成とされている。なお、本実施形態では、傾動収納体３０が所定角度以上前傾することを規制するためのストッパ材３９が、本体１０の内側面から内方に向けて突設されている。なお、傾動収納体３０の前面にも、傾動収納体３０を傾動させる際の引手となる引手部７２が設けられている。
【００２９】
吊掛バー５０は、ステンレス製のパイプを略コ字形に曲折することにより、両端側の二つの支柱部５１と、中間の横架部５２とが一体的に形成されている。そして、支柱部５１の端部付近が、本体１０の奥行き方向におけるほぼ中央で側板１６に取付けられている。これにより、二つの支柱部５１が天板１５より上方に、且つ天板１５に対してほぼ直角に立設され、一対の支柱部５１間に、天板１５の上方且つ真上で、横架部５２がほぼ水平に架渡されている。
【００３０】
側方収納体４０は、プラスチック製のかご状の函体であり、図２（ａ）に示すように、引出収納体２０の第二収納空間２２に収納可能であると共に、図２（ｂ）に示すように、本体１０の側板１６に設けられたフック４９に着脱自在に取付けられる。なお、本実施形態では、仕切りの仕様が異なる側方収納体４０を各一個具備し、上記のフック４９に対して、代替的に取付けられる。
【００３１】
物干アーム６１は複数が備えられ、アーム支持部６５によって、本体１０の側板１６に取付けられる。本実施形態では、物干アーム６１はアーム支持部６５に穿設された孔部６６に挿し込むことにより、本体に対して着脱自在であると共に旋回自在な構成とされている。なお、孔部６６は物干アーム６１の数より多く設けてもよい。また、アーム支持部６５は、図１で例示するように、上記のフック４９により側方収納体２０が取付けられる側板１６とは異なる側板１６に取付けてもよいし、同じ側の側板１６に取付けてもよい。
【００３２】
また、本実施形態では、上記構成に加え、本体１０を移動させる際の持手となる持手部７５が、左右の側板１６のそれぞれに設けられている。
【００３３】
次に、本実施形態の収納ボックス１の使用方法について説明する。通常時は、収納ボックス１の各部に、洗濯物干し用具を収納しておくことができる。例えば、傾動収納体３０に、角型や丸型の枠体に複数のピンチが取付けられたピンチハンガーを収納することができる。このとき、底面板３１に対して垂直に仕切板３５が設けられているため、仕切板３５の前後で、ピンチハンガーの枠体の側面を底面板３１に向け、仕切板３５に立てかけるようにして収納することができる。これにより、大型のピンチハンガーであっても、場所を取らずにすっきりと収納することができる。加えて、複数のピンチハンガーを収納する場合であっても、それぞれが収納された収納空間が仕切板３５によって区画されているため、ピンチが絡まる恐れを低減することができる。
【００３４】
また、本実施形態の引出収納体２０の第一収納空間２１の幅は、上記のように通常の衣服ハンガーの幅より大に設定されているため、ここに衣服ハンガーを幅方向に収納することができる。このとき、区画板２６によって第一収納空間２１が前後に区画されているため、衣服ハンガーの種類や大きさによって仕分けることができ、衣服ハンガーの本数が少ない場合にも、ハンガーが倒れることが防止される。更に、第二収納空間２２には二つの側方収納体４０を収納し、形状や大きさの異なるピンチ等の小物を保管しておくことができる。特に、本実施形態の二つの側方収納体４０は、一方は複数の仕切りを有し、小物を分類して保管するのに適しており、他方は仕切りを有していないため、衣類ブラシや折り畳まれた物干しワイヤ等の長尺物を収納するのに適している。
【００３５】
種々の用具を収納した収納ボックス１は、実際に洗濯物を干す場所、例えば、屋根のあるベランダや室内に設けられたドライルームに設置しておくことができる。また、後述のように、収納ボックス１は仮干し作業にも利用可能であるため、実際に洗濯物を干しておくのは屋外である場合でも、室内の仮干し作業を行う場所に収納ボックス１を設置しておくことができる。更に、後述のように、キャスター７１により移動可能であるため、通常は邪魔にならないよう壁に近づけて設置しておくこともできる。また、その際、物干アーム６１は旋回自在であるため、場所をとらないように向きを揃えておくことができる。或いは、アーム支持部６５から物干アーム６１を取外しておくこともでき、その場合、例えば、第二収納空間２２に収納された仕切りのない側方収納体４０に、取外された物干アーム６１を保管しておくこともできる。
【００３６】
洗濯物干し作業をする際は、キャスター７１のロックを解除し、物干し竿等の洗濯物を干しておく場所、或いは、仮干し作業に適した場所まで、収納ボックス１を適宜移動させることができる。このとき、本実施形態では持手部７５を備えているため、持手部７５に手を掛けて引き、収納ボックス１を容易に移動させることができる。その後、再びキャスター７１をロックすれば、物干し作業中に収納ボックス１が不用意に移動することなく、安定して作業を行うことができる。
【００３７】
そして、図４に例示するように、洗濯物を入れたかごＢを天板１５上におき、そこから洗濯物を取り出しながら作業を行うことができる。また、側方収納体４０をフック４９に掛け、その中からピンチを取り出しつつ、作業を進めることができる。そして、必要に応じ、引出収納体２０を引き出し、或いは、傾動収納体３０を前傾させて開口させ、衣服ハンガーやピンチハンガーＰ等の用具を取り出すことができる。取り出したピンチハンガーＰは、そのまま物干し竿に掛けてもよいが、いったん吊掛バー５０にかけておき、この状態で靴下等を取付ける仮干し作業を行うこともできる。同様に、衣服を掛け終えた衣服ハンガーを、順次吊掛バー５０に掛けていくこともできる。
【００３８】
物干アーム６１は、アーム支持部６５の適宜の位置の孔部６６を選択して挿し込むことにより、本体から外方にほぼ水平に延設させることができる。その際、各物干アーム６１を旋回させて扇状に展開し、物干アーム６１の間隔を調整することができる。この物干アーム６１には、例えば、雑巾や洗濯ネット等をかけることができる。
【００３９】
以上のように、第一実施形態の収納ボックス１によれば、ピンチ、衣服ハンガー、ピンチハンガー等の洗濯物干し作業に要する種々の用具を、一括して外観良く収納しておくことができる。その際、引出収納体２０及び傾動収納体３０の収納空間が、左右区画板２５、区画板２６、仕切板３５によって区画されているため、各用具を大きさや形状等により仕分け、それぞれが絡まったり倒れたりする不具合を減じて、すっきりと整理された状態で収納しておくことができる。そして、仮干し作業を含む洗濯物干し作業を実際に行う場所に、収納ボックス１を位置させることができ、収納された種々の用具を取り出しながら作業を進めることができるため、物干し作業の都度、各用具を収納場所から別個に運ぶ必要がなく、作業の効率が良いものとなる。
【００４０】
また、天板１５の上に洗濯物かごを置き、楽な姿勢で物干し作業を行うことができる。その際、本実施形態の天板１５は、撥水効果を奏する加工が施されているため、支障なく濡れた洗濯物の入ったかごを置くことができる。加えて、吊掛バー５０を使用し、洗濯物を衣服ハンガーに掛けたりピンチハンガーに取付けたりする仮干し作業をまとめて行い、その後に物干し場に運ぶこともできる。これにより、作業者にとって都合のよい場所で、物干し作業を進めることができる。その際、引出収納体２０や傾動収納体３０から用具を取り出し、天板１５の上に置いた洗濯物かごから洗濯物を取り出し、本体１０の側方に取付けられた側方収納体４０からピンチを取り出し、本体１０上方の吊掛バー５０に掛けるというように、一連の流れとして、作業者がその場からあまり移動せずに各動作を行うことができるため、作業の効率が極めて良いものとなる。
【００４１】
また、傾動収納体３０は、仕切板３５の高さを背面板３３より高く設定したことにより、重心が前方に位置し、ピンチハンガー等を収納して傾動収納体３０全体が重くなっていても、力を要することなく前傾させることができる。加えて、前方に所定角度以上回動すると、本体１０の内側面に突設されたストッパ材３９に仕切板３５が当接してそれ以上の回動が規制されるため、傾動収納体３０が回動し過ぎて前方に倒れてしまう不具合を回避することができる。
【００４２】
次に、本発明を実施するために好適な第二実施形態について、図５及び図６を用いて説明する。ここで、図５は第二実施形態の収納ボックスの構成を示す斜視図であり、図６は図５の収納ボックスの使用状態を示す斜視図である。なお、第一実施形態と同様の構成については、同一の符号を付し、詳細な説明は省略する。
【００４３】
本実施形態の収納ボックス２は、前方に開口した開口部８１、及び上方を覆う略水平な天板８５を有する本体８０と、開口部８１から前方へ引出し自在に本体８０に組み付けられた引出収納体９０と、前後に傾動自在に本体８０に組み付けられた傾動収納体３０と、本体８０を移動可能に支持するキャスター７１と、本体８０に立設された支柱部５１、及び支柱部５１から側方に連接されて天板８５の上方に横架された棒状の横架部５２を有する吊掛バー５０と、本体８０の側方に設けられた側方収納体４０と、本体８０から外方に略水平に延設された棒状の物干アーム６１とを、主に具備して構成されている。
【００４４】
また、傾動収納体３０は引出収納体９０の下段に設けられ、引出収納体９０より幅広に形成されている。そして、引出収納体９０と傾動収納体３０とで、それぞれの一方の側面位置を一致させ、本体８０の大きさ及び形状を引出収納体９０及び傾動収納体３０を囲繞する設定とすることにより、本体８０は二段の階違いに構成され、天板８５は引出収納体９０の上方の第一天板８５ａと、第一天板８５ａより高さの低い第二天板８５ｂとを有する構成とされている。
【００４５】
本実施形態の引出収納体９０は、第一実施形態における左右区画板２５に相当する構成は有さず、幅方向に設けられた二つの区画板２６により、収納空間が前後方向に三つに区画されたものとなっている。なお、第一実施形態においては第二収納空間２２に収納可能であった側方収納体４０は、本実施形態では、引出収納体９０或いは傾動収納体３０に収納してもよいし、常時フック４９に取付けておいてもよい。
【００４６】
なお、第一実施形態で例示したように、側方収納体４０を取付けるフック４９と物干アーム６１を支持するアーム支持部６５とは、それぞれ異なる側板１６に取付けてもよいが、図５で例示するように、両者を同じ側の側板１６に取付けてもよい。
【００４７】
その他の構成は、上記の第一実施形態と同様であり、上記と同様に物干し作業を行うことができる。更に、本実施形態の収納ボックス２は、以下のような特徴を有する。すなわち、吊掛バー５０から天板８５までの距離は、第一天板８５ａより第二天板８５ｂの方が大きなものとなる。これにより、裾までの長さが長い衣類の洗濯物をハンガーＨに掛けて吊るす場合であっても、図６（ａ）に示すように、第二天板８５ｂの上方でハンガーＨを吊掛バー５０に吊り下げることにより、衣類の裾がだらりと本体８０上に垂れかかる恐れの少ないものとなる。また、洗濯物かごＢを天板８５の上に置いて作業する場合であっても、図６（ｂ）に示すように、第二天板８５ｂ上に洗濯物かごＢを置き、吊掛バー５０の下方の空間を広く確保できるため、空間に余裕をもって作業を行うことができる。また、例えば、ピンチハンガーＰがサイズの大きなものや横長のものであっても、適宜回転させながら洗濯物を取付けることができ、より作業のし易いものとなる。
【００４８】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４９】
例えば、上記の実施形態では、コ字状の吊掛バーの二つの支柱部を本体に取付ける場合を例示したが、これに限定されず、Ｌ字状の吊掛バーとすることもできる。その際、支柱部を本体に対して旋回可能な構成とすれば、収納ボックスの天板の上方で、天板の真上からは離れた位置で吊掛バーを横架させ、より空間に余裕をもって物干し作業を行うこともできる。また、上記の実施形態では、吊掛バーの支柱部を本体の側面に取付ける場合を例示したが、これに限定されず、例えば、天板に穿設した孔部に支柱部を挿し込むことにより、吊掛バーを本体に支持させる構成とすることもできる。また、吊掛バーを、本体に対して着脱自在な構成とすることもできる。
【００５０】
更に、引出収納体の左右区画板及び区画板、傾動収納体の仕切板は、固定的に設けられる場合に限定されず、移動や着脱が可能な構成とすることができる。例えば、区画板等を断面逆Ｔ字状に形成して自立可能な構成とし、収納物の量によって移動させて使用するものとすることができる。
【００５１】
更に、本体の天板は、上記の撥水効果に加え、滑り止め効果を奏する加工を施すこともできる。例えば、摩擦係数の大きい素材や、小さな凹凸を設けた樹脂等の薄板を、天板上面に貼着することができる。これにより、天板上に載置した洗濯物かご等が滑り落ちる恐れを低減し、安定して物干し作業を行うことができる。
【図面の簡単な説明】
【００５２】
【図１】本発明の第一実施形態の収納ボックスの構成を示す斜視図である。
【図２】図１におけるＡ−Ａ断面を示す平面図である。
【図３】図１の収納ボックスの側面図である。
【図４】図１の収納ボックスの使用状態を示す斜視図である。
【図５】本発明の第二実施形態の収納ボックスの構成を示す斜視図である。
【図６】図５の収納ボックスの使用状態を示す斜視図である。
【符号の説明】
【００５３】
１，２  収納ボックス
１０、８０  本体
１１，８１  開口部
１５，８５  天板
８５ａ  第一天板
８５ｂ  第二天板
２０，９０  引出収納体
３０  傾動収納体
４０  側方収納体
５０  吊掛バー
５１  支柱部
５２  横架部
６１  物干アーム
７１  キャスター
【図１】
2007061591.tif 000003
【図２】
2007061591.tif 000004
【図３】
2007061591.tif 000005
【図４】
2007061591.tif 000006
【図５】
2007061591.tif 000007
【図６】
2007061591.tif 000008